(57)【要約】【課題】撮像条件の調整時と撮像時とで固体撮像素子を共通に用いながら、様々な撮影条件に応じて常に最適な合焦状態を保つことができる撮像装置を提供する。【解決手段】被写体情報を得るための複数の画素を有する撮像手段と、前記撮像手段の光の入射面側に画素毎に複数のフィルタが配置され、被写体からの光の透過特性を変更可能なフィルタ部とを有する撮像装置であって、撮像条件を調整するために前記被写体情報を得る第１のモード時に、前記フィルタ部における、前記透過特性を変更する特定のフィルタの個数と配置を設定する手段を備えた。【選択図】        図３
2004222062.tif 000002
【特許請求の範囲】
【請求項１】
被写体情報を得るための複数の画素を有する撮像手段と、前記撮像手段の光の入射面側に被写体からの光の透過特性が変更可能で、且つ画素毎に複数枚のフィルタが配置されたフィルタ部と、を有する撮像装置であって、撮像条件を調整するための前記被写体情報を得る第１のモード時に、前記フィルタ部における、前記透過特性を変更する特定のフィルタの個数と配置を設定する変更手段を備えたことを特徴とする撮像装置。
【発明の詳細な説明】
【０００１】
【発明の属する技術分野】
本発明は、透過光の波長特性や透過率の変更可能なフィルタを有する撮像装置に関するものである。
【０００２】
【従来の技術】
近年、被写体を光学的に結像させる光学系と、光学系により作られた光学的被写体像を電気信号に変換するＣＣＤ等の固体撮像素子と、固体撮像素子により撮像された被写体の画像信号を記録する記録部と、撮影された画像を表示する表示部とを具備したデジタルカメラが、銀塩カメラやビデオカメラと同様に画像記録又は画像表示手段の一つとして一般的になっている。特に、静止画を撮影するデジタルカメラは、近年、固体撮像素子の画素数が数十万画素から数百万画素へと高画素化の傾向があり、一眼レフタイプのデジタルカメラに於いては４００万画素を超える普及タイプも製品化されている。
【０００３】
画素数の増加は同時に画像の解像度のアップにつながるのでメリットになるが、固体撮像素子の大きさも大きくなるため、コストアップという問題も生じる。その為、画素数を増やさずに解像度を上げる方法が幾つか提案されており、例えば、特許文献１は固体撮像素子内に波長変調色フィルタを構成し、時分割にフィルタ特性を切り換えること、つまり最初に１回目の撮影を行い、その後２回フィルターの波長特性を切り換え、その度に撮影することで、１画素毎に完全な色情報、即ち三原色全部の色信号を得ることができるというものである。
【０００４】
また、一眼レフタイプのデジタルカメラの他に見られる特徴として、固体撮像素子とＡＦセンサが別々に構成されている点が挙げられる。このような構成でのＡＦ方式では以下に述べるような問題が発生する。それは、撮影光束とＡＦ検出光束が別々の光路を通る光束であるため、以下に述べる要因により２光学系の光路に差が生じる。その誤差要因とは、各構成部材の部品の精度誤差、さらに各構成部材をデジタルカメラ本体に取り付ける際の取り付け誤差、各構成部材の各々の材質が異なることによる温度変化時の膨張誤差等であり、これらがＡＦ精度を下げる原因となっている。
【０００５】
そこで、上記問題を解決する方法が幾つか提案されており、その１例である特許文献２の撮像装置について、図１５（カラーフィルタ配列を表す図）と図１６（画素の断面を表す図）を用いて簡単に説明する。
【０００６】
この撮像装置は、撮像素子センサ上に撮像を行うためのＲ（赤）、Ｇ（緑）、Ｂ（青）の各カラーフィルタを持った画素（＝図１５内のＲ、Ｇ、Ｂと表示している画素）以外に、カラーフィルタを持たないＡＦ専用の画素（＝図１５内のＳ１、Ｓ２と表示している画素）を有している。
【０００７】
この２つのＡＦ専用画素Ｓ１、Ｓ２の内、一方のＡＦ専用画素Ｓ１は、図１６（ａ）に示すように画素の中心から一方に偏った開口部５０１ａを持つ遮光層５０１が有り、もう一方のＡＦ専用画素Ｓ２は、図１６（ｂ）に示すように画素Ｓ１とは反対側に画素中心から等距離の所に開口部５０２ａを持つ遮光層５０２を備えている。ここで、１画素の大きさは数十ミクロンであり、図１５の構成で画素Ｓ１と画素Ｓ２は同一ライン上にあると近似して考えることができる。
【０００８】
そこで今、固体撮像素子に像を結ぶカメラレンズが固体撮像素子上でピントが合っているならば、画素Ｓ１を含む行の画素Ｓ１群からの像信号と、画素Ｓ２を含む行の画素Ｓ２群の信号群からの像信号は一致する。しかし、ピントを結ぶ点が撮像素子のイメージ面よりも前方もしくは後方に有るならば、画素Ｓ１を含む行の画素Ｓ１群からの像信号と、画素Ｓ２を含む行の画素Ｓ２群の信号群からの像信号との位相差を生じる。この様な固体撮像素子上で瞳分割する位相差方式であれば、固体撮像素子とＡＦセンサとが同一部材であるので、上記で説明した固体撮像素子とＡＦセンサを別構成にしたことに依る誤差要因は無くなる。
【０００９】
【特許文献１】
特開平４−１３１８３２号公報
【特許文献２】
特開２０００−１５６８２３号公報
【００１０】
【発明が解決しようとする課題】
しかしながら、上記説明した特許文献１及び特許文献２は各々、以下に述べるような課題が新たに発生する。
【００１１】
まず、特許文献１に発生する課題は、固体撮像素子をＡＦセンサ兼用として使用する為、カラーフィルタを透過して強度が低下した光を基にＡＦ演算を行うことになり、例えば、低輝度の被写体の場合に合焦不可や、補助光を用いないと合焦できなかったりする等の、いわゆるＡＦ精度低下と言った問題が発生する。
【００１２】
次に特許文献２に発生する課題は、図１５のＡＦ専用の画素であるＳ１、Ｓ２の固体撮像素子上での位置は固定されている為、撮像素子上で、被写体がＳ１及びＳ２（＝測距ポイント）と重ならないと被写体に焦点を合わせられないという欠点があった。
【００１３】
本発明は上記従来の問題点に鑑み、撮像条件の調整時と撮像時とで固体撮像素子を共通に用いながら、様々な撮影条件に応じて常に最適な合焦状態を保つことができる撮像装置を提供することを目的とする。
【００１４】
【課題を解決するための手段】
上記目的を達成するために、本発明の撮像装置は、被写体情報を得るための複数の画素を有する撮像手段と、前記撮像手段の光の入射面側に被写体からの光の透過特性が変更可能であり、且つ画素毎に複数枚のフィルタが配置されたフィルタ部とを有する撮像装置であって、撮像条件を調整するための前記被写体情報を得る第１のモード時に、前記フィルタ部における、前記透過特性を変更する特定のフィルタの個数と配置を設定する変更手段を備えたことを特徴とする。
【００１５】
【発明の実施の形態】
以下、本発明の実施の形態を図面に基づいて説明する。
【００１６】
＜撮像装置の構成＞
図１は、本発明の実施の一形態に係る撮像装置（デジタルカメラ）の構成を示すブロック図である。
【００１７】
図中の３１は撮像装置全体を制御するための制御手段であるメインマイコンで、３２は被写体の撮影状況が表示される液晶パネル３７とユーザが撮像装置に対して操作を行う為の操作スイッチ部３８とを制御するサブマイコンであり、３３は固体撮像素子１に入射する光の量を決める絞り、３４は絞り３３の開閉を行うための絞り駆動部材、３５は固体撮像素子１へ結像する光の焦点を決めるフォーカスレンズ群、３６はフォーカスレンズ群３５を移動させるための自動焦点駆動部である。
【００１８】
＜固体撮像素子の構成＞
図２は、固体撮像素子１の構成を示した図である。
【００１９】
この固体撮像素子１は、ＣＭＯＳプロセスで形成されたセンサ（以下ＣＭＯＳセンサ）であり、被写体情報を得るための複数の画素を含む撮像領域と、周辺回路とを同一半導体チップ上に形成することが可能という利点を有している。
【００２０】
同図において、１はＣＭＯＳプロセスによって半導体チップ上に形成された固体撮像素子であり、撮像領域２、タイミング発生回路３、垂直走査回路４、水平走査回路５、アナログ信号処理回路６、アナログ／デジタル変換を行うＡ／Ｄ変換回路７、デジタル信号処理回路８、インターフェイス（ＩＦ）回路９、ゲートドライバ１０ａ、及びデータドライバ１０ｂを集積化している。
【００２１】
撮像領域２は、フォトダイオード等の光電変換素子を含む画素を垂直方向及び水平方向に２次元状に配列した構成であり、被写体情報を得る機能を有している。また、それぞれの画素には、透過する光の波長特性及び透過率が変更可能な複数枚のカラーフィルタ（カラーフィルタの上下に透明電極が設けられ、この透明電極に電圧を印加することによって透過特性の変更を行う）が設けられている。
【００２２】
タイミング発生回路３は、外部からの基準周波数であるマスタークロックを基に、撮像領域２内の各画素を選択するためのタイミング信号を発生し、垂直・水平走査回路４、５、ゲートドライバ１０ａ及びデータドライバ１０ｂを制御する。なお、タイミング発生回路３から垂直同期信号と水平同期信号を外部に出力し、固体撮像素子１外でタイミング信号が必要なシステム用に同期信号を提供する。垂直・水平走査回路４、５は、タイミング発生回路３からのタイミング信号に基づいて、所要の走査制御を行い、各画素内で光電変換された電荷を読み出す。
【００２３】
アナログ信号処理回路６は、撮像領域２から読み出された信号をノイズ低減処理、増幅処理、ガンマ処理、及びクランプ処理をしてＡ／Ｄ変換回路７に出力するためのものである。Ａ／Ｄ変換回路７は、アナログ信号処理回路６からのアナログ信号をデジタル信号に変換して出力するものであり、デジタル信号処理回路８はＡ／Ｄ変換回路７にてデジタル変換された信号に対して、色処理等の処理を行い、インターフェイス回路９に出力するためのものである。インターフェイス回路９は、デジタル信号処理回路８から出力されるデジタル信号を固体撮像素子１の外部に出力したり、外部からの制御信号の入力を行ったりする。
【００２４】
固体撮像素子１は、外部からのコマンド対応で固体撮像素子１のモードや出力信号形態、信号出力タイミングなどをコントロールすることができ、外部からインターフェイス回路９に所要のコマンドを与えると、インターフェイス回路９が受けたコマンド対応の制御を行うように各構成要素を制御する。ゲートドライバ１０ａとデータドライバ１０ｂは、画素毎に配置されている複数のカラーフィルタの透過する光の波長特性及び透過率を変更するための変更手段であり、撮像領域２上の任意の画素を選択して所定の電圧をカラーフィルタに印加するように制御する。つまり、ゲートドライバ１０ａにより垂直方向の画素が選択され、データドライバ１０ａにより水平方向の画素が選択される。例えば、ゲートドライバ１０ａより一行目のゲート線にパルスが印加され、データドライバ１０ｂにより一列目のデータ線にパルスが印加された場合には、一行一列目に位置する画素のカラーフィルタの上下に配置されている透明電極に電圧が印加される。
【００２５】
＜撮像領域２の具体的な回路構成＞
図３は、図２に示した撮像領域２の具体的な回路構成を表す図であり、２×２画素を示しているが、実際は１９２０×１０８０画素等の実用的な画素を持っている。図３において、１１は光電変換を行うフォトダイオード等の光電変換素子、１２は光電変換素子１１で発生した信号を転送するための転送用ＭＯＳトランジスタ、１３は転送用ＭＯＳトランジスタ１２によって転送された信号を増幅して出力するための増幅用ＭＯＳトランジスタ、１４は増幅用ＭＯＳトランジスタ１３のゲートにリセット電位を供給するためのリセット用ＭＯＳトランジスタ、１５は信号を読み出す画素を選択するための選択用ＭＯＳトランジスタであり、これらによって１画素を構成する。
【００２６】
＜画素の構造＞
図４は、図３で説明した画素の構造を示す断面図を表す図である。なお、画素内の、光電変換素子１１以外の他の回路部は省略している。
【００２７】
２０はｐ型の半導体領域、２１はｎ型の半導体領域であり、これら半導体領域２０と２１とで光電変換素子であるフォトダイオードを構成している。２２は酸化膜、２３は遮光膜、２４は樹脂で構成された第１の平坦化層、２５は透過特性変更可能なカラーフィルタ、２６、２７は、カラーフィルタ２５の上下に配置された透明電極、２８はカラーフィルタ上部に形成され、樹脂で構成された第２の平坦化層、２９はマイクロレンズである。
【００２８】
そして、透明電極２６，２７に印加する電圧を制御することによって、カラーフィルタ２５の透過特性を変更している。本実施の形態では、変更手段であるゲートドライバ１０ａ、データドライバ１０ｂによって、焦点調整等の撮像条件の調整を行う場合に、カラーフィルタ２５の透過率を高くし（好ましくは、カラーフィルタ２５を略透明もしくは可視光の波長領域を透過する状態にする）、その撮像条件の下で、被写体の画像情報を得るために撮像を行う場合には、カラーフィルタ２５の透過特性を限定する（所定の色（Ｒ、Ｇ、Ｂ等）の波長領域の光のみを透過する）ようにしている。
【００２９】
図５は、固体撮像素子１内の画素の他の構造を示す断面図（図６のＡ−Ａ断面）であり、図４と同じ部材については同じ番号を付し、その説明を省略する。
また、図６は、図５の上側のカラーフィルタ２５ａ〜２５ｄを上から見た図であり、図７は、図５の下側のカラーフィルタ２５ｅを上から見た図である。これらの図から明らかなように、上側のカラーフィルタは４つに分離され、それぞれ独立に電圧を印加できるような構成となっている。
【００３０】
本例の透過特性変更可能なカラーフィルタは、スマート調光材料を用いたものであり、以下、本実施形態では、カラーフィルタはスマート調光材料を用いたものとし、画素の構造は、スマート調光材料を用いたカラーフィルタを光の入射方向に２層構造として構成する。
【００３１】
上側のカラーフィルタ２５ａ〜２５ｄは、４つに分離されており、下側のカラーフィルタ２５ｅは一つで構成されている。上側のカラーフィルタ２５ａ〜２５ｄは、電圧を印加していない状態では透過率が非常に低い遮光の状態となり、電圧を印加した状態では透過率が高い略透明状態となる。なお、左側のカラーフィルタ２５ａ（又は２５ｄ）には、透明電極２６ａ、２７ａ（又は２６ｄ、２７ｄ）によって電圧が印加され、右側のカラーフィルタ２５ｂ（又は２５ｃ）には、透明電極２６ｂ、２７ｂ（又は２６ｃ、２７ｃ）によって電圧が印加される。
【００３２】
下側のカラーフィルタ２５ｅは、電圧を印加した状態では特定の色（Ｒ、Ｇ、Ｂ等）の波長領域の光のみを透過し、電圧を印加していない状態では透明もしくは可視光の波長領域が透過状態となる。なお、透明電極２６ｅ、２７ｅによって電圧が印加される。
【００３３】
＜実施形態の動作＞
次に、本実施形態の動作について説明する。
【００３４】
本実施形態は、最初の焦点調整時（ＳＷ１）に、撮像領域２に於いて、ＡＦ用画素として用いる任意の画素におけるカラーフィルタの上半分を遮光色にし、下側のカラーフィルタを略透明にし、それ以外の画素のカラーフィルタを略透明にする。そして撮像時（ＳＷ２）に、全画素の上側のカラーフィルタを略透明にし、下側のカラーフィルタをＲ、Ｇ、Ｂ色のどれか（主としてＲ、Ｇ、Ｂ色の波長領域の光を透過する）にするものである。
【００３５】
以下に、実際に撮影を行うに際し、どのようなタイミングでカラーフィルタの色を変更させるかについて、図８〜図１４を用いて説明する。なお、図８は、本実施形態の撮影動作を表すフローチャートであり、図９は、本実施形態に於ける初期状態のカラーフィルタ配列を表す図である。図１０は、本実施形態に於ける撮影モード設定時のカラーフィルタ配列を表す図であり、図１１は、本実施形態に於ける撮影モード設定時の他のカラーフィルタ配列を表す図である。図１２は、縦線の多い被写体の一例を示す図である。図１３は、本実施形態に於ける測距点グループＢ設定時のカラーフィルタ配列を表す図であり、図１４は、本実施形態に於ける撮像時のカラーフィルタの配置を示す図である。なお、図８のフローチャートに従ったプログラムをメインマイコン３１内の記憶装置に格納し動作することにより、以下の制御方法を実現させることが可能となる。
【００３６】
最初に、メインスイッチを操作して電源をオンすると（ステップＳ１）、メインマイコン３１は電池の状態をチェックし、サブマイコン３２を介して液晶パネル３７の上面表示パネルに電源状態を表示すると共に、メインマイコン３１内のＣＰＵ（中央演算処理装置）を起動して初期化し（ステップＳ２）、撮影可能なスタンバイ状態にする。このスタンバイ状態では、上側に配置された全画素のカラーフィルタ２５ａ〜２５ｄは全て遮光状態（＝非透過）に、下側に配置された全ての画素のカラーフィルタ２５ｅは略透明である。
【００３７】
ここで、撮影準備動作スイッチであるレリーズ釦をＳＷ１の位置まで押し下げた時の撮像領域２は、初期状態では図９に示すように、画素中心から右半分に位置するカラーフィルタ２５ｂ、２５ｃの２領域を遮光状態（＝非透過）にし且つ左半分のカラーフィルタ２５ａ、２５ｄが略透明であるＡＦ用画素ＮＡと、画素中心から左半分に位置するカラーフィルタ２５ａ、２５ｄの２領域を遮光状態にし且つ右半分のカラーフィルタ２５ｂ、２５ｃが略透明であるＡＦ用画素ＮＢと、ＡＦ用画素ＮＡ、ＮＢ以外のカラーフィルタ２５ａ〜２５ｄ全てが透明状態である画素との、３種類のカラーフィルタ配列を有する画素から構成される。この時、下側に配置されたカラーフィルタ２５ｅは全ての画素に於いて略透明である。
【００３８】
レリーズ釦をＳＷ１の位置まで押し下げる前に、撮影条件を変更するための不図示の撮影条件変更ダイヤルを回転させることで、初期状態である全自動モードから他の撮影モード（例えば、スポーツモード、風景モード）に変更すると、固体撮像素子１は、図９に示すカラーフィルタ配列を有する撮像領域２から、図１０又は図１１に示すカラーフィルタ配列を有する撮像領域２へと画素ＮＡ、ＮＢの配列及び個数が撮影モードに応じて変化する（ステップＳ３）。
【００３９】
また、ＡＦ用画素として遮光されるカラーフィルタの配置を変更させる別の手段として、例えば図１２に示すような縦線の多い被写体を撮影する場合、不図示の測距点変更釦を押して、初期状態である測距点グループＡ（図９）から測距点グループＢ（図１３）へと変更させることができる（ステップＳ３）。ここで、測距点グループＢは、図１３に示すように画素中心から下半分に位置するカラーフィルタ２５ｃ、２５ｄの２領域を遮光状態（＝非透過）にし且つ上半分のカラーフィルタ２５ａ、２５ｂが略透明である画素ＮＣと、画素中心から上半分に位置するカラーフィルタ２５ａ、２５ｂの２領域を遮光状態（＝非透過）にし且つ下半分のカラーフィルタ２５ｃ、２５ｄが略透明である画素ＮＤが複数個配列されている。
【００４０】
なお、測距点グループＢに於いても、撮影条件変更ダイヤルを回すことで、画素ＮＣとＮＤの配列及び個数を図１０、図１１に示すように変更することができる。
【００４１】
撮影条件に適した画素ＮＡ（又はＮＣ）及び画素ＮＢ（又はＮＤ）の配列が決まったら、撮影者が撮影準備動作スイッチであるレリーズ釦をＳＷ１の位置まで押し下げると（ステップＳ４）、撮像領域２の上に配置されたカラーフィルタの配列が全画素遮光状態から、図９〜図１１及び図１３に示す状態のどれかに変更されると同時に（ステップＳ５）、画素ＮＡ（又はＮＣ）の像と画素ＮＢ（又はＮＤ）の像の、２像の位相差によるＡＦ方式を用いることができる。
【００４２】
画素ＮＡ（又はＮＣ）及び画素ＮＢ（又はＮＤ）の各画素に蓄積した電荷から、画素ＮＡ（又はＮＣ）に生成された像と画素ＮＢ（又はＮＤ）に生成された像の相関演算を行い、これらの像のずれ量から、合焦レンズの移動量を算出する（ステップＳ６）。なお、この相関演算は、メインマイコン３１で行われる。そして自動焦点駆動部３６を制御してフォーカスレンズ群３５を合焦位置まで移動させる（ステップＳ７）。このとき同時に、この時の全画素に蓄積された電荷から測光値も算出する。
【００４３】
レリーズ釦をＳＷ１からさらに押し下げて撮影開始動作ＳＷであるＳＷ２の位置まで押し下げると（ステップＳ８）、画素ＮＡ（又はＮＣ）、画素ＮＢ（又はＮＤ）の上側に配置されたカラーフィルタ２５ａ〜２５ｄは、略透明色に変更され、下側に配置されたカラーフィルタ２５ｅは、Ｒ、Ｇ、Ｂのどれか１色に変更される。画素ＮＡ（又はＮＣ）と画素ＮＢ（又はＮＤ）以外の画素のカラーフィルタに於いても、下側に配置されたカラーフィルタは、Ｒ、Ｇ、Ｂのどれか１色に変更され、図１４の状態になる（ステップＳ９）。
【００４４】
この後、測光値及び撮影者の入力による値まで、絞り駆動部材３４により固体撮像素子１面上に最適な光量となるように絞り３３が絞り込まれる。さらに、シャッタ先幕が走行した後、一定の間隔をおいて、シャッタ後幕が走行する（ステップＳ１０）。固体撮像素子１は、シャッタ先幕とシャッタ後幕の間の所定の露光時間中に蓄積された電荷を各画素読み出した後（ステップＳ１１）、Ａ／Ｄ変換を行い、信号処理回路にて輝度・色差信号の生成等の色処理及び圧縮を行い（ステップＳ１２）、画像蓄積メモリに画像ファイルとして保存される（ステップＳ１３）。
【００４５】
このようにして、ファインダー内での被写体の大きさや位置、動きの有無等の撮影条件に応じて、撮影条件変更ダイヤルの撮影モード及び測距点変更釦により固体撮像素子１上におけるＡＦ専用画素のフィルタの遮光方向、さらにはフィルタの数や配置を変更することが可能になるため、常に最適な合焦状態を保つことができる。
【００４６】
なお、本実施形態では、位相差によるＡＦ方式を提案したが、像のコントラストによるＡＦ方式を用いてもよい。この場合では、図５で説明した画素の構成において、上側のカラーフィルタ２５ａ〜２５ｄを除いた構成にすることが可能となる。そして、焦点調整時では、カラーフィルタ２５ｅを透過率の高い略透明色に変更し、撮像状態では、それぞれフィルタの配列（例えばベイヤー配列）により、Ｒ色（主としてＲ色の波長領域の光を透過する）、Ｇ色（主としてＧ色の波長領域の光を透過する）、Ｂ色（主としてＢ色の波長領域の光を透過する）等の色に変更する。つまり、撮像領域２内の、画素の第１の領域では透明色とＲ色で変更するカラーフィルタ、第２の領域では透明色とＧ色で変更するカラーフィルタ、第３の領域では透明色とＢ色で変更するカラーフィルタが配置される。
【００４７】
上記の実施形態では、焦点調整時とその調整された条件下で撮像する場合とでカラーフィルタの透過特性を変更するものを説明したが、露光条件調整時とその調整された条件下で撮像する場合とでカラーフィルタの透過特性を変更してもよい。また、焦点調整時及び露光条件調整時と、その調整された条件の下で撮像する場合とでカラーフィルタの透過特性を変更してもよい。
【００４８】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【００４９】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００５０】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【００５１】
［実施態様］
本発明の実施態様の例を以下に列挙する。
【００５２】
＜実施態様１＞
被写体情報を得るための複数の画素を有する撮像手段と、前記撮像手段の光の入射面側に被写体からの光の透過特性が変更可能であり、且つ画素毎に複数枚のフィルタが配置されたフィルタ部と、を有する撮像装置であって、撮像条件を調整するための前記被写体情報を得る第１のモード時に、前記フィルタ部における、前記透過特性を変更する特定のフィルタの個数と配置を設定する変更手段を備えたことを特徴とする撮像装置。
【００５３】
＜実施態様２＞
前記撮像条件は、焦点条件及び／又は露光条件であること特徴とする実施態様１に記載の撮像装置。
【００５４】
＜実施態様３＞
前記各画素に配置された前記フィルタは、透明になる状態と非透過になる状態とを有する第１のカラーフィルタと、特定の波長領域のみを透過する状態と透明になる状態とを有する第２のカラーフィルタとを含むことを特徴とする実施態様１又は２に記載の撮像装置。
【００５５】
＜実施態様４＞
前記第１のモードで調整された撮像条件の下で被写体情報を得る第２のモード時には、前記第１のカラーフィルタを透明になる状態にし、且つ前記第２のカラーフィルタは特定の波長領域のみを透過する状態にすることを特徴とする実施態様３に記載の撮像装置。
【００５６】
＜実施態様５＞
被写体情報を得るための複数の画素を有する撮像手段と、前記撮像手段の光の入射面側に被写体からの光の透過特性が変更可能で且つ画素毎に複数枚のフィルタが配置されたフィルタ部と、を有する撮像装置の制御方法であって、撮像条件を調整するために前記被写体情報を得る第１のモード時に、前記フィルタ部における、前記透過特性を変更する特定のフィルタの個数と配置を設定することを特徴とする撮像装置の制御方法。
【００５７】
＜実施態様６＞
被写体情報を得るための複数の画素を有する撮像手段と、前記撮像手段の光の入射面側に被写体からの光の透過特性が変更可能で且つ画素毎に複数のフィルタが配置されたフィルタ部と、を有する撮像装置の制御方法を実行するために、コンピュータで読み取り可能な制御プログラムであって、撮像条件を調整するために前記被写体情報を得る第１のモード時に、前記フィルタ部における、前記透過特性を変更する特定のフィルタの個数と配置を設定するステップを有することを特徴とする制御プログラム。
【００５８】
【発明の効果】
以上詳細に説明したように、本発明によれば、様々な撮影条件に応じて、常に最適な合焦状態を保つことが可能になる。
【図面の簡単な説明】
【図１】本発明の実施の一形態に係る撮像装置（デジタルカメラ）の構成を示すブロック図である。
【図２】固体撮像素子１の構成を示した図である。
【図３】図２に示した撮像領域２の具体的な回路構成を表す図である。
【図４】図３で説明した画素の構造を示す断面図を表す図である。
【図５】固体撮像素子１内の画素の他の構造を示す断面図である。
【図６】図５の上側のカラーフィルタ２５ａ〜２５ｄを上から見た図である。
【図７】図５の下側のカラーフィルタ２５ｅを上から見た図である。
【図８】実施形態の撮影動作を表すフローチャートである。
【図９】実施形態に於ける初期状態のカラーフィルタ配列を表す図である。
【図１０】実施形態に於ける撮影モード設定時のカラーフィルタ配列を表す図である。
【図１１】実施形態に於ける撮影モード設定時の他のカラーフィルタ配列を表す図である。
【図１２】縦線の多い被写体の一例を示す図である。
【図１３】実施形態に於ける測距点グループＢ設定時のカラーフィルタ配列を表す図である。
【図１４】実施形態に於ける撮像時のカラーフィルタの配置を示す図である。
【図１５】従来のカラーフィルタ配列を表す図である。
【図１６】従来の画素の断面を表す図である。
【符号の説明】
１  固体撮像素子
２  撮像領域
３  タイミング発生回路
４  垂直走査回路
５  水平走査回路
６  アナログ信号処理回路
７  Ａ／Ｄ変換回路
８  デジタル信号処理回路
９  インターフェイス回路
２５ａ〜２５ｄ  カラーフィルタ
【図１】
2004222062.tif 000003
【図２】
2004222062.tif 000004
【図３】
2004222062.tif 000005
【図４】
2004222062.tif 000006
【図５】
2004222062.tif 000007
【図６】
2004222062.tif 000008
【図７】
2004222062.tif 000009
【図８】
2004222062.tif 000010
【図９】
2004222062.tif 000011
【図１０】
2004222062.tif 000012
【図１１】
2004222062.tif 000013
【図１２】
2004222062.tif 000014
【図１３】
2004222062.tif 000015
【図１４】
2004222062.tif 000016
【図１５】
2004222062.tif 000017
【図１６】
2004222062.tif 000018